(57)【要約】【課題】省電力モードから通常モードへの復帰時におけるタッチによる誤操作を確実かつ簡素な構成で防止する。【解決手段】表示タイミング制御部６１は、タッチパネル１０が所定時間の間に操作されなかったときに行われるバックライト８の消灯と同時に、液晶表示パネル７にスクリーンセーバー画像を表示させる。表示停止タイミング制御部６２は、バックライト８が消灯しているときに、タッチパネル１０へのタッチにより、液晶表示パネル７にスクリーンセーバー画像の表示を停止させる。【選択図】図１
2015207174.tif 000002
【特許請求の範囲】
【請求項１】
バックライトを有する液晶表示パネルおよび前記液晶表示パネルに重ねて設けられたタッチパネルを備えた液晶表示装置に用いられるタッチパネル誤操作防止装置であって、
バックライトが消灯されると、前記液晶表示パネルにスクリーンセーバー画像を表示させるスクリーンセーバー画像表示手段と、
前記バックライトが消灯して前記スクリーンセーバー画像が表示されているときに、前記タッチパネルへのタッチを前記バックライトの点灯命令であると認識するバックライト制御手段とを備えていることを特徴とするタッチパネル誤操作防止装置。
【請求項２】
前記点灯命令である前記タッチパネルへのタッチが解除されてから、再度タッチされない状態が所定時間持続したときに前記液晶表示パネルにスクリーンセーバー画像の表示を停止させるスクリーンセーバー画像表示停止手段を備えていることを特徴とする請求項１に記載のタッチパネル誤操作防止装置。
【請求項３】
前記スクリーンセーバー画像表示手段は、前記液晶表示パネル、前記バックライトおよび前記タッチパネルを備えた液晶表示装置を複数有するシステムに対して、各液晶表示パネルにスクリーンセーバー画像を表示させ、
前記スクリーンセーバー画像表示停止手段は、前記システムに対して、各液晶表示パネルに前記スクリーンセーバー画像の表示を停止させることを特徴とする請求項２に記載のタッチパネル誤操作防止装置。
【発明の詳細な説明】
【技術分野】
【０００１】
本発明は、液晶表示装置のバックライトが消灯しているときに行われるタッチパネルへのタッチが誤操作となることを防止するタッチパネル誤操作防止装置に関する。特に、本発明は、スクリーンセーバー機能を有するＯＳ（Operating System）を用いる液晶表示装置に好適なタッチパネル誤操作防止装置に関する。
【０００２】
なお、本明細書において、タッチとは、後述するタッチオン信号およびタッチオフ信号の生成までの一連の動作をいうものとする。また、通常スクリーンセーバー画像とはアニメーション等、画面の焼付きを防止する動画をさすが、本明細書においてはアニメーション等ではない静止画像をも含むものとする。
【背景技術】
【０００３】
一般に、液晶表示装置およびタッチパネルを備えたコンピュータは、バックライトによる電力消費を抑えるために、通常モードにおいて一定時間にタッチパネルへのタッチが無かったときに、バックライトを消灯する省電力モードに移行する。そして、このようなコンピュータは、省電力モードにおいてタッチパネルがタッチされると、バックライトを点灯させて、省電力モードから通常モードに復帰する。
【０００４】
省電力モードにおいては、バックライトが消灯しているので、表示画面が暗くなり、現在どのような画像が表示されているかわからない。このため、省電力モードから通常モードに復帰するときに、タッチパネルを任意の位置でタッチすると、タッチの位置によっては、表示されている画像の操作部分を意図せずに触れてしまうことがある。
【０００５】
従来、このような誤操作を防止するために、図３に示すようなシステムが用いられていた。図３に示すシステムでは、液晶表示装置１１において、バックライト駆動部１４は、ＰＣ（パーソナルコンピュータ）１７から点灯信号および消灯信号が与えられることにより、液晶表示パネル１３のバックライト１５を点灯および消灯させる。また、ＰＣ１７の指令に基づいて動作するタッチパネルコントローラ１６により、液晶表示装置１１におけるタッチパネル１２の駆動が制御される。
【０００６】
タッチパネルコントローラ１６は、専用のコントローラであり、バックライトの状態（点灯または消灯）をバックライト駆動部１４からの点灯状態信号および消灯状態信号に基づいて監視しながら、バックライト１５の点灯および消灯を制御していた。具体的には、省電力モードにおいてバックライト１５が消灯している状態で、タッチパネル１２がタッチされると、タッチパネルコントローラ１６は、検知した指のダウン操作（ダウンイベント）を指のアップ操作（アップイベント）に変換してＰＣ１７に送信する。ＰＣ１７は、省電力モードにおいて、アップイベントを受けてバックライト１５を点灯させるが、タッチを有効とするダウンイベントを受けていないので、上記のタッチは入力操作としては無効となる。このようにして、タッチによって省電力モードを解除するが、入力操作を無効とすることで誤操作を防止することができる。
【０００７】
しかしながら、このようなシステムは、専用のタッチパネルコントローラ１６を必要とするため、コストがかかるという不都合があり、汎用のコンピュータには適用することが難しい。これに対し、ソフトウェアで上記のような誤操作を防止する方法は、汎用のコンピュータにも適用が容易である。
【０００８】
例えば、ソフトウェアによるタッチパネルの誤操作防止対策としては、特許文献１に、全てのアプリケーションプログラムの画像の内で最前面に表示したタッチ無効化ウインドウにより、タッチ無効化ウインドウが覆っている表示画像に対するタッチを無効化することが記載されている。このタッチ無効化ウインドウは、常駐アプリケーションプログラムの実行により省電力モードへの移行時に全てのアプリケーションプログラムの画像の内で最前面に表示され、省電力モードにおけるタッチを、表示画像への操作としては無効とするが、省電力モードを解除するための操作としては有効とする。
【先行技術文献】
【特許文献】
【０００９】
【特許文献１】特開２００８−１０７９０６号公報（２００８年５月８日公開）
【発明の概要】
【発明が解決しようとする課題】
【００１０】
ところが、複数のアプリケーションプログラムが起動されている状態では、上記のタッチ無効化ウインドウを表示するアプリケーションプログラムが、他のアプリケーションプログラムと最前面への画像の表示を取り合う。この結果、他のアプリケーションプログラム、例えばエラーメッセージの表示といった表示の優先度の高いアプリケーションプログラムのウインドウが最前面に表示されることもある。このような場合には、タッチ無効化ウインドウが最前面に表示されなくなるので、タッチを無効化できなくなるという不都合が生じる。
【００１１】
本発明は上記の問題点を解決するためになされたものであり、その目的は、省電力モードから通常モードへの復帰時におけるタッチパネルへのタッチによる誤操作を確実かつ簡素な構成で防止することにある。
【課題を解決するための手段】
【００１２】
上記の課題を解決するために、本発明に係るタッチパネル誤操作防止装置は、バックライトを有する液晶表示パネルおよび前記液晶表示パネルに重ねて設けられたタッチパネルを備えた液晶表示装置に用いられるタッチパネル誤操作防止装置であって、バックライトが消灯されると、前記液晶表示パネルにスクリーンセーバー画像を表示させるスクリーンセーバー画像表示手段と、前記バックライトが消灯して前記スクリーンセーバー画像が表示されているときに、前記タッチパネルへのタッチを前記バックライトの点灯命令であると認識するバックライト制御手段とを備えていることを特徴としている。
【００１３】
上記の構成では、スクリーンセーバー画像表示手段により、タッチパネルが所定時間の間にタッチされなかったときに、通常モードから省電力モードへの移行のために、バックライトが消灯されると、スクリーンセーバーが表示される。そして、タッチパネルへのタッチは、スクリーンセーバー画像へのものとして認識される。それゆえ、本発明に係るタッチパネル誤操作防止装置は、特許文献１に記載されているタッチ無効化ウインドウを表示する構成と異なり、アプリケーションプログラム同士で最前面への画像の表示を取り合うことがない。したがって、省電力モードにおけるタッチが誤操作となることを確実に回避することができる。
【００１４】
また、省電力モードから通常モードへの復帰（バックライトの点灯）のために、タッチパネルがタッチされると、バックライト制御手段により、当該タッチがバックライトの点灯命令であると認識される。これにより、バックライト制御手段は、認識した点灯命令に基づいてバックライトを点灯させることができる。
【００１５】
上記のようなスクリーンセーバー画像の表示および表示の停止は、ソフトウェアで行うことが可能である。それゆえ、タッチパネルの誤操作を防止するために、図３に示すコンピュータシステムのように、専用のタッチパネルコントローラを必要としない。
【００１６】
前記タッチパネル誤操作防止装置は、前記点灯命令である前記タッチパネルへのタッチが解除されてから、再度タッチされない状態が所定時間持続したときに前記液晶表示パネルにスクリーンセーバー画像の表示を停止させるスクリーンセーバー画像表示停止手段を備えていることが好ましい。
【００１７】
上記の構成では、スクリーンセーバー画像表示停止手段により、省電力モードから通常モードへの復帰のために行われるタッチが解除されてから、再度タッチされない状態が所定時間持続すると、スクリーンセーバー画像の表示が解除される。これにより、正規のタッチではなく、弾みで指がタッチパネルに短時間のうちに複数回触れるようなチャタリングが生じた場合、スクリーンセーバー画像の表示が解除されることはなく、誤操作を防止することができる。
【００１８】
前記タッチパネル誤操作防止装置において、前記スクリーンセーバー画像が黒一色であることが好ましい。
【００１９】
ユーザは、通常モードから省電力モードへの移行時に、バックライトが消灯して液晶表示パネルの表示画面が暗くなり、省電力モードにおけるタッチ後に表示画面が明るくなって通常モードに復帰したと認識する。また、上記のように、チャタリングによる誤操作を防止する場合、省電力モードにおけるタッチと同時には、スクリーンセーバー画像の表示が解除されない。このため、スクリーンセーバー画像は黒一色であることにより、通常モードへの復帰時に、スクリーンセーバー画像の表示が解除されなくても、表示画面が暗いままであるので、ユーザにとっては見かけ上、省電力モードが継続しているように見える。したがって、上記の動作をユーザに違和感を与えることなく行うことができる。
【００２０】
前記タッチパネル誤操作防止装置において、前記スクリーンセーバー画像表示手段は、前記液晶表示パネル、前記バックライトおよび前記タッチパネルを備えた液晶表示装置を複数有するシステムに対して、各液晶表示パネルにスクリーンセーバー画像を表示させ、前記スクリーンセーバー画像表示停止手段は、前記システムに対して、各液晶表示パネルに前記スクリーンセーバー画像の表示を停止させることが好ましい。
【００２１】
上記の構成では、液晶表示装置を複数有するシステム（マルチディスプレイシステム）であっても、全ての液晶表示装置においてスクリーンセーバー画像を再前面に表示することができる。
【発明の効果】
【００２２】
本発明は、上記のように構成されることにより、省電力モードから通常モードへの復帰時におけるタッチによる誤操作を確実かつ簡素な構成で防止することができるという効果を奏する。
【図面の簡単な説明】
【００２３】
【図１】本発明の一実施形態１に係るコンピュータシステムの構成を示すブロック図である。
【図２】上記コンピュータシステムの通常モードおよび省電力モードにおける動作を示すフローチャートである。
【図３】従来のコンピュータシステムの構成を示す図である。
【発明を実施するための形態】
【００２４】
本発明の一実施形態１について、図１および図２に基づいて説明すれば以下のとおりである。
【００２５】
なお、本実施形態において、後述のタッチパネル１０へのタッチについては、指で行うものとして説明するが、指以外の指示物（ペンなど）で行ってもよいことは言うまでもない。
【００２６】
図１は、本発明の一実施形態に係るコンピュータシステム１０１の構成を示すブロック図である。
【００２７】
図１に示すように、コンピュータシステム１０１は、ＰＣ（パーソナルコンピュータ）１と、ＰＣ１の表示装置および入力装置となる液晶表示装置２と、液晶表示装置２のタッチパネル１０を制御するタッチパネルコントローラ３とを備えている。
【００２８】
ＰＣ１のＯＳは、全てのアプリケーションプログラムの画像の内、スクリーンセーバー画像を最前面に表示するスクリーンセーバー機能を有するものである。
【００２９】
本実施形態のコンピュータシステム１０１は、通常モードと省電力モードとで動作する。通常モードは、後述の液晶表示パネル７の画像表示状態を維持しながら、後述のバックライト８を点灯させる動作モードである。一方、省電力モードは、液晶表示パネル７の画像表示状態を維持しながら、バックライト８を消灯させる動作モードである。
【００３０】
なお、液晶表示装置２およびタッチパネルコントローラ３は、ＰＣ１と別体に構成されているが、これに限らず、ＰＣ１と一体に構成されていてもよい。
【００３１】
まず、液晶表示装置２およびタッチパネルコントローラ３について説明する。
【００３２】
液晶表示装置２は、ＰＣ１により生成される画像を表示するために、液晶表示パネル７と、液晶表示パネル７の背後から光を照射するバックライト８と、バックライト８を駆動するバックライト駆動部９とを有している。液晶表示パネル７は、バックライト８をその一部として組み込んでいる。バックライト８は、冷陰極管やＬＥＤによって構成されており、バックライト駆動部９から供給される駆動電流によって点灯する。バックライト駆動部９は、後述のバックライト制御部５からの点灯指示により、バックライト８に駆動電流を供給するとともに、バックライト制御部５からの消灯指示により、バックライト８への駆動電流の供給を停止する。また、バックライト駆動部９は、バックライト８に供給する駆動電流を、輝度調整のために可変制御する。
【００３３】
液晶表示装置２は、液晶表示パネル７上でのタッチによる操作・入力を行うためにタッチパネル１０を有している。タッチパネル１０は、液晶表示パネル７に重ねて設けられており、静電容量方式、抵抗膜方式などの各種のタッチパネルで構成される。
【００３４】
タッチパネルコントローラ３は、後述のタッチパネル制御部４の指令によってタッチパネル１０を駆動するとともに、タッチパネル１０で検出されたタッチ（タッチ位置座標など）をタッチパネル制御部４に検出データとして出力する。このタッチパネルコントローラ３は、汎用のコントローラで構成されている。
【００３５】
ＰＣ１は、ＣＰＵ、メモリ、記憶装置（ＨＤＤやＳＳＤなど）、通信インターフェースなどを備えるとともに、ＯＳが実装されている汎用のコンピュータであり、アプリケーションプログラムを実行する。また、ＰＣ１（タッチパネル誤操作防止装置）は、タッチパネル１０の駆動を制御するタッチパネル制御部４と、バックライト８の点灯および消灯を制御するバックライト制御部５と、液晶表示装置２にスクリーンセーバー画像を表示させるスクリーンセーバー表示制御部６とを備えている。
【００３６】
タッチパネル制御部４は、タッチパネルコントローラ３からの検出データに基づいて、タッチオン信号およびタッチオフ信号を生成する。タッチオン信号は、タッチの開始時、すなわち指がタッチパネルに触れたときに出力される信号であり、タッチオフ信号は、タッチの解除時、すなわち指がタッチパネル１０から離れたときに出力される信号である。タッチオン信号およびタッチオフ信号はバックライト制御部５に与えられ、タッチオフ信号はスクリーンセーバー表示制御部６に与えられる。
【００３７】
バックライト制御部５（バックライト制御手段）は、タッチパネル１０へのタッチが解除されてからの時間が一定の時間または液晶表示装置２が立ち上がってからタッチがされない状態が継続した時間が一定の時間（一定の時間：ユーザによって設定された時間）に達すると、すなわちタッチパネルへのタッチが一定の時間なされずＰＣ１への操作・入力が無いとき、省電力モードへの移行のために、バックライト駆動部９にバックライト８を消灯させる消灯指示（消灯信号）を与える。また、バックライト制御部５は、省電力モードにおいて上記のタッチオン信号を受けると、通常モードへの復帰のために、バックライト駆動部９にバックライトを点灯させる点灯指示（点灯信号）を与える。さらに、バックライト制御部５は、通常モードにおいてバックライト８が点灯しているときに、ユーザの指示などに応じて、輝度調整のための輝度制御信号をバックライト駆動部９に与える。なお、バックライト制御部５は、ＯＳの持つ機能を利用するのが通常であるが、ＯＳの持つ機能と別に設けることもできる。
【００３８】
スクリーンセーバー表示制御部６は、スクリーンセーバー画像の表示を制御するために、表示タイミング制御部６１と、表示停止タイミング制御部６２とを有している。
【００３９】
表示タイミング制御部６１（スクリーンセーバー画像表示手段）は、スクリーンセーバー画像を表示するタイミングを制御する。具体的には、表示タイミング制御部６１は、バックライト制御部５からの消灯信号を受けて、液晶表示パネル７に黒一色のスクリーンセーバー画像を表示させる、すなわち表示を開始させる。
【００４０】
表示停止タイミング制御部６２（スクリーンセーバー画像表示停止手段）は、スクリーンセーバー画像の表示を停止するタイミングを制御する。具体的には、表示停止タイミング制御部６２は、タッチオン信号によって、バックライト８が省電力モードにおいて消灯していた状態から点灯した状態へと変化した後、タッチパネル制御部４よりタッチオフ信号を受けてから、タッチパネル１０から指の離れた状態（再度タッチされない状態）が所定時間持続すると、すなわち、タッチオフ信号から次のタッチオン信号までの時間が所定時間を超えると、液晶表示パネル７にスクリーンセーバー画像の表示を停止させる。
【００４１】
上記のように構成されるコンピュータシステム１０１の省電力モードへの移行および通常モードへの復帰の動作について図２を用いて説明する。
【００４２】
なお、以下の説明は、液晶表示装置２が立ち上がってから少なくとも一回のタッチがされた後の動作に対してのものである。すなわち、液晶表示装置２が立ち上がってから最初のタッチがされるまでは、図示はしないが、液晶表示装置２が立ち上がってからタッチがされない時間が一定の時間に達したか否かを判定する処理が行われる。
【００４３】
まず、液晶表示装置２が通常モードで表示している状態において、タッチパネル制御部４が、タッチパネル１０へのタッチが有ったか否かを判定する（ステップＳ１）。ステップＳ１において、タッチパネル制御部４が、タッチが有ったと判定すると、バックライト制御部５が、タッチパネル制御部４からのタッチオフ信号に基づいて、タッチが解除されたとき、すなわち指がタッチパネル１０より離れたときからの時間が一定の時間に達したか否かを判定する（ステップＳ２）。このとき、バックライト制御部５は、タッチオフ信号を受けたときに計時を開始して、上記の一定の時間に達するまで計時を継続する。
【００４４】
ステップＳ２において、バックライト制御部５が、タッチの解除から一定の時間が経過したと判定した場合、バックライト８が消灯するとともに、スクリーンセーバー画像が液晶表示パネル７に表示される（ステップＳ３）。バックライト８の消灯は以下のように、バックライト制御部５が消灯信号を出力し、バックライト駆動部９が、その消灯信号を受けて、バックライト８への駆動電流の供給を停止することで行われる。一方、スクリーンセーバー画像の表示は、表示タイミング制御部６１が、バックライト制御部５からの消灯信号をトリガとして液晶表示パネル７にスクリーンセーバー画像を出力することで行われる。
【００４５】
これにより、通常モードから省電力モードへの移行が完了する。省電力モードでは、バックライト８が消灯しており、スクリーンセーバー画像の色に関わらず、液晶表示パネル７の表示画面が黒く見える。
【００４６】
次いで、省電力モードにおいて、タッチパネル制御部４が、タッチパネル１０へのタッチを監視し、タッチが開始されたか否かを判定する（ステップＳ４）。ステップＳ４において、タッチパネル制御部４が、タッチパネルコントローラ３からの検出データに基づいてタッチオン信号を生成し、タッチが開始されたと判定すると、バックライト８が点灯する（ステップＳ５）。バックライト８の点灯は以下のように、バックライト制御部５が、タッチオン信号に基づいて点灯信号を出力し、バックライト駆動部９が、その点灯信号を受けて、バックライト８への駆動電流の供給を開始することで行われる。このように、スクリーンセーバー画像表示時のタッチパネル１０へのタッチはバックライト８の点灯命令として認識される。
【００４７】
この状態では、バックライト８は点灯しているが、黒一色のスクリーンセーバー画像が液晶表示パネル７に表示されているので、ユーザには表示画面が黒く見える。また、省電力モードにおけるタッチは、スクリーンセーバー画像に対して行われるが、上述したようにバックライト８の点灯命令として認識される。したがって、タッチパネル制御部４は、当該タッチがスクリーンセーバー画像の後に表示される他の画像に対して行われたものとして認識されることはない。すなわち、液晶表示パネル７は、あたかもスクリーンセーバー画像によって、後の画像へのタッチが防止されているように振る舞う。
【００４８】
ステップＳ４の判定においてタッチパネル制御部４に認識されたタッチが解除されてタッチパネル制御部４によりタッチオフ信号が生成された後、指がタッチパネル１０から離れた状態が所定時間持続したか否かをスクリーンセーバー表示制御部６が引き続き判定する（ステップＳ６）。すなわち、スクリーンセーバー表示制御部６の表示停止タイミング制御部６２は、タッチオフ信号をトリガとして計時を開始する。そして、タッチパネル制御部４からのタッチオン・タッチオフ信号の出力を監視する。表示停止タイミング制御部６２は、所定時間に達するまでに、再度のタッチがされると、すなわちタッチオン信号が出力されると計時を終了する。この場合、当然のことながら計時時間は所定時間に達していないこととなる。次いで、指がタッチパネル１０から離れることにより、タッチパネル制御部４からタッチオフ信号を受けると、表示停止タイミング制御部６２は、そのタッチオフ信号をトリガとして再び計時を開始する。
【００４９】
上記の所定時間は、ユーザが、タッチパネル１０から指を離した後に、意図せずに指がタッチパネル１０に触れるような場合を想定して５００ｍｓｅｃに設定される。ただし、この所定時間は、５００ｍｓｅｃに限らず、他の値に設定されてもよい。
【００５０】
ステップＳ６において、スクリーンセーバー表示制御部６の表示停止タイミング制御部６２は、指の離れた状態が所定時間持続したと判定すると、液晶表示パネル７へのスクリーンセーバー画像の出力を停止することにより、液晶表示パネル７がスクリーンセーバー画像の表示を停止する（ステップＳ７）。
【００５１】
このように、液晶表示パネル７がスクリーンセーバー画像の表示を停止するので、スクリーンセーバー画像のすぐ後に表示されていた画像が最前面に表示され、以後のタッチは表示されている画像への操作・入力として認識される。このようにして、省電力モードから通常モードへの移行が完了する。
【００５２】
一方、スクリーンセーバー表示制御部６は、表示タイミング制御部６１により、バックライト８が消灯したときに、液晶表示パネル７にスクリーンセーバー画像を表示させる（ステップＳ３）。また、スクリーンセーバー表示制御部６は、表示停止タイミング制御部６２により、タッチが解除されてから指の離れた状態が所定時間持続したときに、液晶表示パネル７にスクリーンセーバー画像の表示を停止させる（ステップＳ７）。
【００５３】
一方、液晶表示装置２が立ち上がってから最初のタッチがされるまでは、ステップＳ１の処理は行われない。そして、ステップＳ２の処理に代え、液晶表示装置２が立ち上がってからタッチがされない時間が一定の時間に達したか否かを判定する処理が行われる。
【００５４】
表示タイミング制御部６１を設けることにより、スクリーンセーバー画像の表示時に、タッチパネル１０がタッチされると、このタッチはバックライト８の点灯命令としてバックライト制御部５に認識される。一方、タッチパネル制御部４は、スクリーンセーバー画像が表示されている際のタッチをスクリーンセーバー画像の後に表示されている他の画像に対する操作としては認識しない。本実施形態のＯＳでは、スクリーンセーバー以外のアプリケーションプログラムの画像の前にスクリーンセーバー画像が表示される、すなわちスクリーンセーバー画像が最前面に表示されており、スクリーンセーバー画像が、アプリケーションプログラムへのタッチを遮断しているように振る舞うのは上述のとおりである。しかしながら、実際には、スクリーンセーバー画像が表示されているか否かにより、タッチパネル制御部４がタッチを操作として認識するか否かを判断している。それゆえ、コンピュータシステム１０１では、特許文献１に記載されているタッチ無効化ウインドウを表示する構成と異なり、アプリケーションプログラム同士で最前面への画像の表示を取り合うことがない。したがって、省電力モードにおけるタッチが誤操作となることを確実に回避することができる。
【００５５】
なお、タッチを操作として認識しないという処理を行うにあたり、タッチ自体を認識しないあるいはタッチは認識するものの操作としては認識しないといういずれの処理を行ってもよいのは勿論である。
【００５６】
ちなみに、スクリーンセーバー画像が最前面に表示されるＯＳとして、種々のものが存在するが、多くのＯＳでは、一般のスクリーンセーバー画像の表示と、省電力モードとを同時に実行できないので、これらのＯＳは、省電力モードに移行すると、スクリーンセーバー画像の表示を解除する。したがって、上記のように、省電力モードにおいて一般のスクリーンセーバー画像を表示させることはできない。そのため、本発明においては、省電力モードにおいてスクリーンセーバー画像として表示できるスクリーンセーバー画像を、上述のように別途設けている。
【００５７】
また、表示停止タイミング制御部６２を設けることにより、省電力モードから通常モードへの復帰のために、ユーザがタッチパネル１０にタッチをしてタッチパネル１０から指を離した後、指を離した状態が所定時間持続すると、スクリーンセーバー画像の表示を解除できる。これにより、正規のタッチではなく、弾みで指がタッチパネル１０に短時間のうちに複数回触れるようなチャタリングが生じた場合、スクリーンセーバー画像の表示が解除されることはなく、誤操作を防止することができる。
【００５８】
上記の別途設けたスクリーンセーバー画像は、黒一色の画像である。ユーザは、通常モードから省電力モードへの移行時に、バックライト８が消灯して液晶表示パネル７の表示画面が暗くなり、省電力モードにおけるタッチ後に表示画面が明るくなって通常モードに復帰したと認識する。また、上記のように、本発明においては、省電力モードにおけるタッチと同時には、スクリーンセーバー画像の表示が解除されない。このため、スクリーンセーバー画像は黒一色であることにより、バックライト８が点灯している通常モードへの復帰時に、スクリーンセーバー画像の表示が解除されなくても、表示画面が暗いままであるので、ユーザにとっては見かけ上、省電力モードが継続しているように見える。したがって、通常モードへの復帰時に上記の動作がユーザに違和感なく行われるように、スクリーンセーバー画像は黒一色であることが好ましい。
【００５９】
さらに、本発明においては、省電力モードの設定は従来のコンピュータシステムと同様であり、特別な設定を必要としない。例えば、Windows（登録商標）のＯＳを使用する場合、コントロールパネルにおける省電力設定のみを行えばよい。しかも、コンピュータシステム１０１では、図３に示す従来のコンピュータシステムのように専用のタッチパネルコントローラ１６ではなく、汎用のタッチパネルコントローラ３を用いることができる。したがって、特別なツールを用いることなく、ソフトウェアとして実現されるスクリーンセーバー表示制御部６およびタッチパネル制御部４を備えるだけで、タッチパネル１０の誤操作を防止することができる。
【００６０】
ＰＣ１は、キーボードやマウスのような他の入力デバイスによる操作をも受け付け、これらの入力デバイスによる操作で、省電力モードにおいて表示されているスクリーンセーバー画像の表示を解除することもできるのは通常のＰＣと同じである。
【００６１】
なお、本実施形態では、省電力モードにおけるタッチの解除から、そのままタッチパネル１０に対して指が離れた状態が所定時間持続したときに、すなわち再度のタッチが所定時間なされなかったときにスクリーンセーバー画像の表示が停止されるが、この動作には限定されない。チャタリングの防止を考慮しなければ、省電力モードにおけるタッチの開始時（指がタッチパネル１０にタッチしたとき）に、スクリーンセーバー表示制御部６が停止することにより、スクリーンセーバー画像の表示を停止するようにしてもよい。この場合、表示停止タイミング制御部６２は、前述のように計時をせずに（ステップＳ６の判定をせずに）、前述のステップＳ５において、バックライト８の点灯と同時に、液晶表示パネル７にスクリーンセーバー画像の表示を停止させる。
【００６２】
また、本実施形態では、単一の液晶表示装置２を用いて通常モードと省電力モードとの間を移行する構成について説明したが、液晶表示装置２以外にも液晶表示装置を用いて、同様に通常モードと省電力モードとの間を移行する構成についても本発明の適用が可能である。
【００６３】
例えば、液晶表示装置を複数有するマルチディスプレイシステムであっても、本実施形態を適用できる。このようなシステムでは、メインの液晶表示装置２にＤＶＩモニタを接続しておいて、ＤＶＩの拡張モニタとして他の液晶表示装置を使用する構成が挙げられる。上記のマルチディスプレイシステムにおいては、全ての液晶表示装置においてスクリーンセーバー画像を再前面に表示することができる。これは、前述のように、本実施形態のＯＳでは、スクリーンセーバー画像が、他の全てのアプリケーションプログラムの画像の前に表示されるからである。
【００６４】
例えば、特許文献１に記載されたタッチ無効化ウインドウを表示させる構成をマルチディスプレイシステムに適用する場合、アプリケーションプログラムの処理が複雑化する。具体的には、メインの液晶表示装置に対する処理と同様な処理を他の液晶表示装置に対してもしようとすると、他の液晶表示装置に表示されている画像を見ながら、どこの座標にどれだけの画像を表示させるかということや、どの画像に対してタッチがされたかというイベントを全て監視する必要がある。また、アプリケーションプログラムの処理では、前述のように、他のアプリケーションプログラムとで最前面表示の取り合いが生じる。これに対し、本発明においては、スクリーンセーバー機能を利用することにより、アプリケーションプログラムの画像へのタッチを無効化しうる画像を表示することができる。
【００６５】
ところで、ＰＣ１の制御ブロック（特にタッチパネル制御部４、バックライト制御部５およびスクリーンセーバー表示制御部６）は、集積回路（ＩＣチップ）等に形成された論理回路（ハードウェア）によって実現してもよいし、ＣＰＵ（Central Processing Unit）を用いてソフトウェアによって実現してもよい。ただし、ＰＣ１の制御ブロックは、専用のハードウェアではなくソフトウェアによって実現することが好ましく、上述の実施形態においてはソフトウェアで実現されている。
【００６６】
後者の場合、ＰＣ１は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００６７】
なお、本実施形態では、ＰＣ１に本発明が適用された例について説明したが、これに限らず、プログラマブル表示器などのタッチパネルを備えた専用機にも本発明を適用することが可能である。
【００６８】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【００６９】
本実施形態では、主としてスクリーンセーバー画像を他のアプリケーションプログラムの画像より前に表示するＯＳを例示して説明したが、スクリーンセーバー画像は、必ずしも最前面に表示される必要はないことについても説明した。すなわち、スクリーンセーバー画像が表示されている際のタッチが、バックライト８をオンするとともにスクリーンセーバー画像の表示を停止するためのトリガとして認識され、他のアプリケーションプログラムに影響を及ぼさない実施形態も本発明の技術的範囲に含まれる。
【産業上の利用可能性】
【００７０】
本発明は、バックライトを消灯する省電力モードと通常モードとを切り替えて動作する液晶表示装置における省電力モードの解除のためのタッチパネルの誤操作防止に好適に利用することができる。
【符号の説明】
【００７１】
１  ＰＣ（タッチパネル誤操作防止装置）
２  液晶表示装置
５  バックライト制御部（バックライト制御手段）
７  液晶表示パネル
８  バックライト
６  スクリーンセーバー表示制御部
６１  表示タイミング制御部（スクリーンセーバー画像表示手段）
６２  表示停止タイミング制御部（スクリーンセーバー画像表示停止手段）
【図１】
2015207174.tif 000003
【図２】
2015207174.tif 000004
【図３】
2015207174.tif 000005